(57)【要約】【課題】複数の撮影手技を含む検査情報において、撮影条件の変更を容易にする。【解決手段】Ｘ線画像撮影システムのための制御装置は、複数の撮影手技と、複数の撮影手技に対応した複数の撮影条件とを含む検査情報を取得し、操作者の操作入力に応じて前記複数の撮影条件から選択された撮影条件の条件項目の内容が変更されると、その変更を、複数の撮影条件における、選択された撮影条件以外の他の撮影条件に適用する。【選択図】  図２
2015195812.tif 000002
【特許請求の範囲】
【請求項１】
Ｘ線画像撮影システムのための制御装置であって、
複数の撮影手技と、前記複数の撮影手技に対応した複数の撮影条件とを含む検査情報を取得する取得手段と、
操作者の操作入力に応じて前記複数の撮影条件から選択された撮影条件の条件項目の内容を変更する変更手段と、
前記変更手段による変更を、前記複数の撮影条件における、前記選択された撮影条件以外の他の撮影条件に適用する適用手段と、を備えることを特徴とする制御装置。
【請求項２】
前記適用手段は、前記複数の撮影条件のうちの未撮影の撮影条件に前記変更を適用することを特徴とする請求項１に記載の制御装置。
【請求項３】
前記変更は、Ｘ線撮影に使用される撮影台の変更を含むことを特徴とする請求項１または２に記載の制御装置。
【請求項４】
前記変更は、Ｘ線撮影に使用されるＸ線検出器の変更を含むことを特徴とする請求項１乃至３のいずれか１項に記載の制御装置。
【請求項５】
前記適用手段は、前記複数の撮影条件のうち、前記選択された撮影条件に含まれる条件項目のうちの所定の条件項目の内容が一致している撮影条件に前記変更を適用することを特徴とする請求項１乃至４のいずれか１項に記載の制御装置。
【請求項６】
前記所定の条件項目が撮影対象の部位であることを特徴とする請求項５に記載の制御装置。
【請求項７】
前記複数の撮影条件の各々は、撮影条件に含まれる条件項目について変更可能な範囲を有し、
前記適用手段は、前記変更が前記変更可能な範囲外となる撮影条件には、前記変更の適用を禁止することを特徴とする請求項１乃至６のいずれか１項に記載の制御装置。
【請求項８】
前記変更の適用が禁止された未変更の撮影条件について、前記変更を適用するか否かを操作者に確認する確認手段をさらに備え、
前記適用手段は、前記操作者により前記変更を適用することが指示された場合に、前記未変更の撮影条件に前記変更を適用することを特徴とする請求項７に記載の制御装置。
【請求項９】
前記複数の撮影条件から操作者により選択された撮影条件を別の撮影条件に置き換える置換手段をさらに備えることを特徴とする請求項１乃至８のいずれか１項に記載の制御装置。
【請求項１０】
前記置換手段による置き換え後の撮影条件の内容に基づいて、前記複数の撮影条件の各撮影条件を更新する更新手段をさらに備えることを特徴とする請求項９に記載の制御装置。
【請求項１１】
前記更新手段は、前記複数の撮影条件のうち、前記置き換え後の撮影条件に含まれる条件のうちの所定の条件項目が一致している撮影条件を更新することを特徴とする請求項１０に記載の制御装置。
【請求項１２】
前記条件項目の変更は、記録方式の異なるＸ線検出器の選択を含むことを特徴とする請求項１乃至１１のいずれか１項に記載の制御装置。
【請求項１３】
操作者に、前記適用手段による変更の適用を許可する撮影条件を前記複数の撮影条件から選択させる選択手段をさらに備えることを特徴とする請求項１乃至１２のいずれか１項に記載の制御装置。
【請求項１４】
前記適用手段は、撮影条件に含まれる所定の条件項目の内容が変更された場合に、前記変更を前記他の撮影条件に適用することを特徴とする請求項１乃至１３のいずれか１項に記載の制御装置。
【請求項１５】
前記所定の条件項目を操作者に設定させる設定手段をさらに備えることを特徴とする請求項１４に記載の制御装置。
【請求項１６】
操作者の操作入力に従って前記検査情報を生成する生成手段をさらに備え、
前記変更手段と前記適用手段は、前記生成手段により生成中の検査情報について機能することを特徴とする請求項１に記載の制御装置。
【請求項１７】
前記適用手段において前記変更の適用が禁止された撮影条件が存在する場合に、これを通知する通知手段をさらに備えることを特徴とする請求項７に記載の制御装置。
【請求項１８】
Ｘ線撮影のための制御装置の制御方法であって、
複数の撮影手技と、前記複数の撮影手技に対応した複数の撮影条件とを含む検査情報を取得する取得工程と、
操作者の操作入力に応じて前記複数の撮影条件から選択された撮影条件の条件項目の内容を変更する変更工程と、
前記変更工程において実行された変更を、前記複数の撮影条件における、前記選択された撮影条件以外の他の撮影条件に適用する適用工程と、を有することを特徴とする制御方法。
【請求項１９】
請求項１８に記載された制御方法の各工程をコンピュータに実行させるためのプログラム。
【発明の詳細な説明】
【技術分野】
【０００１】
撮影条件の変更を容易にするＸ線画像撮影システムおよび制御方法に関する。
【背景技術】
【０００２】
ＲＩＳから送られる検査情報にＸ線画像撮影システムで必要な情報の不足や誤りがある場合、規格が異なるためにＲＩＳから受信した検査情報をそのまま使用できない場合など、Ｘ線画像撮影システムで撮影を行うための検査情報に修正が必要な場合が存在する。そのため、ＲＩＳとＸ線画像撮影システムの間に患者・検査情報入力端末を設置することで、Ｘ線画像撮影システムに検査情報を送信する前に検査情報の修正や補足を行う方法が特許文献１に提案されている。
【０００３】
また、Ｘ線検査を実施する際に、Ｘ線検出器の状態や検査対象患者の容態によっては、指定された検査内容での実施が困難な場合がある。そのような場合、検査に用いる検出器や姿勢情報を操作者が修正する必要が生じる。この場合、操作者にとって変更に適したＸ線検出器が分かりづらく、不適切なＸ線検出器（たとえば、バッテリ残量の少ないワイヤレスＸ線検出器）に変更を行ってしまう可能性がある。このような課題に鑑みて、複数の無線Ｘ線検出器のうち検査に適した無線Ｘ線検出器を提示する方法が特許文献３に提案されている。また、ＣＲ（Computed Radiography）とＦＰＤ（Flat Panel Detector）が混在する病院で、撮影に使用する検出器をＣＲからＦＰＤまたはその逆に変更を行う場合があり、使用可能な検出器を容易に変更する方法が公開されている（特許文献４参照）。
【先行技術文献】
【特許文献】
【０００４】
【特許文献１】特開２００１−２７５９８８号公報
【特許文献２】特開２００３−２４８７２３号公報
【特許文献３】特開２０１２−０５０６２０号公報
【特許文献４】特開２０１２−１００７９７号公報
【発明の概要】
【発明が解決しようとする課題】
【０００５】
しかしながら、特許文献１，２の方法ではＸ線画像撮影システムに送信する前の修正となるため、Ｘ線画像撮影システムでの検査情報の修正が必要な場合に対応できない。たとえば、Ｘ線画像撮影システム側での撮影実施段階で患者状態やＸ線検出器状態が想定と異なった場合への対応は、特許文献１，２には考慮されていない。また、特許文献３、４の方法では、修正すべき検査情報の判別は容易になるが、検査内の複数撮影条件すべてに対してひとつずつ変更処理を行う必要があった。以上のように特許文献１〜４では、ＲＩＳなどからの検査情報を受信した後など、撮影装置側での検査内容が確定した後に、撮影に使用するＸ線検出器や撮影台などの撮影条件の変更を行う必要がある場合について、何等考慮されていない。
【０００６】
本発明は上記の課題に鑑みてなされたものであり、複数の撮影手技を含む検査情報において、撮影条件の変更をより容易にすることを目的とする。
【課題を解決するための手段】
【０００７】
上記の目的を達成するための本発明の一態様によるＸ線画像撮影システムは以下の構成を備える。すなわち、
Ｘ線画像撮影システムのための制御装置であって、
複数の撮影手技と、前記複数の撮影手技に対応した複数の撮影条件とを含む検査情報を取得する取得手段と、
操作者の操作入力に応じて前記複数の撮影条件から選択された撮影条件の条件項目の内容を変更する変更手段と、
前記変更手段による変更を、前記複数の撮影条件における、前記選択された撮影条件以外の他の撮影条件に適用する適用手段と、を備える。
【発明の効果】
【０００８】
本発明によれば、複数の撮影手技を含む検査情報において、撮影条件の変更が容易になる。
【図面の簡単な説明】
【０００９】
【図１】第１実施形態に係る医用システムの構成を示す図。
【図２】第１実施形態に係る撮影条件の切替え連動処理を示すフローチャート。
【図３】第１実施形態に係る撮影画面の一例を示す図。
【図４】第１実施形態に係る撮影条件のデータ構造の一例を示す図。
【図５】第１実施形態に係る撮影条件変更のための画面の一例を示す図。
【図６】第２実施形態に係る撮影条件のデータ構造の一例を示す図。
【図７】第２、第８実施形態に係る確認ウィンドウの一例を示す図。
【図８】第３実施形態に係る撮影画面の一例を示す図。
【図９】第３実施形態に係る撮影条件変更のための画面の一例を示す図。
【図１０】第５実施形態に係る連動選択ウィンドウの一例を示す図。
【図１１】第７実施形態に係る検査編集画面の一例を示す図。
【図１２】第７実施形態に係る撮影条件の切替え連動処理を示すフローチャート。
【発明を実施するための形態】
【００１０】
以下、添付図面を参照して本発明の好適な実施の形態を説明する。尚、以下の実施の形態は特許請求の範囲に係る発明を限定するものでなく、また本実施の形態で説明されている特徴の組み合わせのすべてが発明の解決手段に必須のものとは限らない。
【００１１】
＜第１実施形態＞
図１は第１実施形態に係る医用ネットワークシステムの構成例を示した図である。図１においてＸ線画像撮影システム１０５は、外部入力システム１０９から入力された検査情報に基づいてＸ線検査を実施することが可能である。外部入力システム１０９は制御装置１０１に検査情報を入力するためのシステムであり、たとえばＲＩＳ（Radiology Information System）として実現されるものである。また、検査情報は操作者によって操作部１０３から入力されても良い。表示部１０２は、たとえば液晶ディスプレイを含み、画像データやＧＵＩ（グラフィカルユーザインタフェース）などを画面に表示する。操作部１０３は、マウス、キーボード、照射スイッチなどを含み、操作者からの指示を受け付ける。
【００１２】
制御部１０４は、撮影部１０６〜１０８を制御し撮影を行う機能、撮影された画像データに対して画像処理を行う機能を有する。制御部１０４は、たとえば、不図示のメモリ（ＲＯＭ，ＲＡＭ）に格納されたプログラムをコンピュータが実行する構成となっており、後述する各種処理を実行する。制御装置１０１は複数の撮影部１０６〜１０８と関連付けられ、検査情報に含まれている撮影条件に応じて使用する撮影部を切り替えて撮影を実施する。撮影部１０６〜１０８はそれぞれＸ線発生装置とＸ線検出器を含み、それぞれに設けられた曝射ボタン１２１〜１２３の押下に応じて、制御装置１０１から指示された撮影条件でＸ線画像撮影を実行し、取得された画像を制御装置１０１へ転送する。
【００１３】
操作者が操作部１０３を介して検査に必要な情報、コマンドの入力、Ｘ線撮影指示を行うと、制御部１０４は、Ｘ線検出器から受信した撮影画像を表示部１０２に表示する。また、操作者は、操作部１０３を介して、制御装置１０１による検査の開始や終了の指示、受信した画像の調整の指示、撮影者名や患者名などの検査情報の編集、などを行うことができる。実施された検査の検査情報と検査に含まれる撮影画像は、操作者の指示により外部出力システム１１０に転送される。外部出力システム１１０はＸ線画像撮影システム１０５から転送された画像を保存、表示するためのシステムであり、たとえばＰＡＣＳ（Picture Archiving and Communication System）として実現される。
【００１４】
次に、図２のフローチャートを用いて、撮影画面上での基本的な検査開始から終了までの流れを説明する。まず、検査開始時には、制御装置１０１が外部入力システム１０９から検査情報を取得する（Ｓ２０１）。なお、取得される検査情報は、操作部１０３を介して操作者によって入力された検査情報でも良い。検査情報には、複数の撮影手技と、これら複数の撮影手技に対応した複数の撮影条件が含まれている。検査情報に含まれている撮影手技や撮影条件は表示部１０２により表示される（図３により後述する）。この表示により、制御装置１０１の操作者は、Ｓ２０１で取得された検査情報（撮影条件）を確認し、検査情報により示される撮影手技を実施可能かどうか確認することができる。撮影手技の実施が不可となる状況としては、例えば、受信した検査情報に紐付いたＸ線検出器がバッテリ切れを起こした場合や、撮影条件が立位であるが患者が車椅子で検査室に来た場合が挙げられる。
【００１５】
操作者は操作部１０３を介して変更すべき撮影条件を指定し、その撮影条件に含まれる条件項目の内容の変更を指示することができる。すなわち、制御部１０４は、操作部１０３から、撮影条件の選択と条件項目の内容の変更を示す撮影条件変更の指示を含む操作入力を受けると（Ｓ２０２）、処理をＳ２０３ａへ進める。制御部１０４は、撮影条件変更の指示にしたがって、選択された撮影条件の条件項目の内容を変更する（Ｓ２０３ａ）。そして、制御部１０４は、Ｓ２０３ａで行った変更を、Ｓ２０１で取得した検査情報に含まれている複数の撮影条件における、選択された撮影条件以外の他の撮影条件に適用する（Ｓ２０３ｂ）。こうして、制御部１０４は、操作部１０３から指示された撮影条件の変更を指定された撮影条件に反映するとともに、Ｓ２０１で取得した検査情報に含まれる撮影条件のうちの他の撮影条件にも反映させる。変更される撮影条件の内容としては、例えば使用する撮影台やＸ線検出器の変更、撮影手技の置き換えが挙げられる。また、本実施形態では、Ｓ２０３ｂにおいて、制御部１０４は、検査条件に含まれている撮影条件のうちの未撮影の他の撮影条件について変更の反映を実施する。未撮影の撮影条件について変更を反映することにより、検査情報により示される撮影手技を進行させている最中であっても、適切に撮影条件の変更、反映を行える。以上のように、指定された１つの撮影条件について変更操作が行われると、同一検査内のすべての未撮影の撮影条件に対してその変更内容が反映される。
【００１６】
このようにして、操作者は検査情報に含まれる未撮影の撮影の撮影条件を実行可能な撮影条件に変更して、撮影を実施していく。すなわち、操作者が、検査条件に含まれる撮影条件から未撮影の撮影条件を選択して撮影開始を指示すると（Ｓ２０４）、設定されている撮影条件で（すなわち、撮影条件で指定される撮影台やＸ線検出器を用いて）Ｘ線撮影が実行される（Ｓ２０５）。必要なＸ線撮影を終えると、操作者は、操作部１０３を介して検査終了の指示する（たとえば後述の終了ボタン３０９（図３）を操作する）。検査終了の指示を受ける（Ｓ２０６）と、制御部１０４は、表示部１０２の撮影画面終了や、外部出力システム１１０への検査情報出力などの終了処理を実行し（Ｓ２０７）、検査を終了する。他方、検査終了が指示されていなければ、処理はステップＳ２０２に戻る。したがって、検査途中で撮影条件の変更が必要となった場合にも、上述したような撮影条件の変更が可能である。
【００１７】
次に、図３〜図５を用いて、第１実施形態のＸ線画像撮影システムによる撮影条件の変更動作例を説明する。図３は表示部１０２のＧＵＩの一例を示したものである。この表示ウィンドウ３０１上には、Ｘ線画像撮影装置やデータベースから取得した画像を表示する画像表示部３０２や、表示中の検査に対応する患者情報を表示する患者情報を表示する患者情報表示部３０３が設けられる。また、表示ウィンドウ３０１には、検査番号や検査情報などを表示する検査情報表示部３０４が設けられる。図３の例では、撮影Ａ３０５、撮影Ｂ３０６、撮影Ｃ３０７の３つの撮影手技を含む検査番号０００００１の検査情報が取得され、検査情報表示部３０４には、検査で実施する撮影Ａ３０５、撮影Ｂ３０６、撮影Ｃ３０７が示されている。なお、この検査情報は、３つの撮影手技に対応する３つの撮影条件（図４により後述）を含んでいる。
【００１８】
検査情報表示部３０４から所望の撮影を選択して、対応する撮影部（撮影部１０６〜１０８のいずれか）の曝射ボタン（１２１〜１２３）を押下すると、選択された撮影が実行される。なお、図３の画面に撮影実行ボタンを設け、これを押下指示（たとえばクリック）することで、選択された撮影部による撮影が実行されるようにしてもよい。或いは、図３の画面に撮影実行許可ボタンを設け、これが押下指示された場合に、対応する撮影部の曝射ボタンによる撮影が許可されるようにしてもよい。制御装置１０１は、撮影部により撮影された画像が転送されたことを検出することで、その撮影手技について「撮影済」と判定することができる。また、検査中に、撮影条件変更ボタン３０８が押下されると、選択されている撮影に対しての変更画面５０１（図５）を表示する。図５では、撮影Ａが選択された状態で撮影条件変更ボタン３０８が押下された場合の変更画面の例が示されている。なお、変更画面５０１の表示は、撮影Ａ３０５、撮影Ｂ３０６、撮影Ｃ３０７をＧＵＩ上でダブルクリックするなどの操作で実施されても良い。操作者によって終了ボタン３０９が押下されると検査を終了する。
【００１９】
図４は撮影条件のデータ構成を示した図である。図４に例示される撮影条件は、撮影対象の部位や撮影方向などを含む撮影部位情報４０１および、使用する撮影台を示す撮影台情報４０２の、２つの条件項目を含む。なお、図４では、撮影Ｃ３０７については撮影済みとなっている。すなわち、図４は、撮影Ｃ３０７が実行された後に撮影Ａ３０５の撮影条件の条件項目が変更された場合の、他の撮影条件への変更の適用を示している。撮影Ａ３０５に対する撮影条件の変更が行われる前のそれぞれの撮影手技の撮影条件は、撮影条件４０３（撮影Ａ３０５）、撮影条件４０４（撮影Ｂ３０６）、撮影条件４０５（撮影Ｃ３０７）である。操作者は撮影Ａ３０５を選択して撮影条件変更ボタン３０８が操作されると、または、表示ウィンドウ３０１上で撮影Ａ３０５がダブルクリックされると、制御部１０４は、図５に示す変更画面５０１を表示部１０２に表示させる。操作者は、この変更画面５０１を用いて撮影Ａ３０５の撮影条件の変更を実施することができる。
【００２０】
変更画面５０１には、部位変更部５０２と撮影台変更部５０３が含まれる。部位変更部５０２を操作することで、任意の撮影部位・撮影方向に撮影部位情報を変更することができる。撮影台変更部５０３には、部位変更部５０２で指定された撮影部位情報での撮影が可能な撮影台の一覧が表示される。操作者は任意の撮影条件変更を実施した後、確定ボタン５０４の押下で操作を確定する。また、破棄ボタン５０５押下により、撮影条件の変更が取り消される。撮影台変更部５０３で撮影Ａ３０５の撮影条件４０３が撮影条件４０６に示されるように、「立位」から「座位」に変更されたとする。この場合、撮影Ｂ３０６の撮影条件４０４にも同じ撮影台情報が適用され、撮影条件４０７のように変更される。また、撮影Ｃ３０７は撮影済であるため撮影台情報の連動が適用されず、撮影条件４０８に示されるように、撮影条件に変更は生じない。
【００２１】
なお、部位変更部５０２の操作により撮影部位情報が変更された場合は、撮影手技の置き換えに相当する撮影条件の変更となる。また、図４では、撮影台情報４０２のデータ構造が、選択可能な撮影台の選択肢（「立位」「座位」「臥位」「ポータブル」）のうち現在選択されている撮影台を示すデータ構造となっているがこれに限られるものではない。たとえば、撮影台情報４０２として単に選択されている撮影台が記述された形態であってもよい。また、図４に示される全ての撮影条件は、撮影台情報４０２として同じ選択肢（「立位」「座位」「臥位」「ポータブル」）が存在しているが、これに限られるものではない。たとえば、撮影Ａ３０５が「立位」「座位」「臥位」「ポータブル」の４つの選択肢を有しているのに対し、撮影Ｂ３０６の撮影台情報４０２が「立位」「臥位」の２つの選択肢を有しているというようにしてもよい。その場合、撮影Ａ３０５で撮影台情報４０２が「座位」に変更されても撮影Ｂ３０６にはその選択肢が存在せず、撮影Ｂ３０６に撮影Ａ３０５の変更を反映することができないことになる。そのような動作については第２実施形態で説明する。また、第１実施形態では、変更される条件項目として撮影台（撮影台情報）を例示したが、これに限られるものではなく、たとえば、第２実施形態（図６）で例示されるようなＸ線検出器（検出器情報）を変更の対象としてもよい。
【００２２】
＜第２実施形態＞
第１実施形態のＳ２０３ｂで行われた他の撮影条件への変更の適用（以下、撮影条件の切替え連動ともいう）では、１つの撮影条件への変更の内容を他の撮影条件へ反映する際に、未撮影か否かを確認した。第２実施形態では、撮影条件の切替え連動において、連動先の撮影条件の条件項目の内容に基づいて連動を行うか否か（変更を適用するか否か）を判定する条件（連動条件）を設ける。すなわち、Ｓ２０３ａにおいて選択された撮影条件に対して実行された変更をＳ２０３ｂで複数の撮影条件に適用する際に、選択された撮影条件に含まれる条件項目のうちの所定の条件項目の内容が一致している撮影条件に変更が適用される。以下では、そのような所定の条件項目として、撮影手技における撮影対象の部位（撮影部位）を用い、撮影部位が同じであることを連動条件とした場合を説明する。
【００２３】
図６は第２実施形態による撮影条件のデータ構造の例を示す図である。撮影条件は撮影対象の部位や撮影方向などを含む撮影部位情報６１０と、使用するＸ線検出器を示す検出器情報６１１を含む。検査情報に含まれる撮影Ａ、撮影Ｂ、撮影Ｃ、撮影Ｄの撮影手技のうち、撮影Ａの撮影条件６０１が撮影条件６０５に変更されたとする（検出器情報６１１のSensor001がSensor003に変更されている）。このとき、撮影Ｂの撮影条件６０２は、撮影Ａの撮影条件６０１と撮影対象が同じ（胸部）であるため、撮影条件の切替えの連動条件（同じ撮影部位であること）を満たしている。そのため、撮影Ａの撮影条件６０１について行われた検出器情報の切替えに連動して、撮影Ｂの撮影条件６０２の検出器情報も切り替わる。その結果、撮影Ｂの撮影条件６０２は、撮影条件６０６に変更される。しかし、撮影Ｃの撮影条件６０３では撮影対象が「頭部」であり、撮影Ａの撮影条件６０１と撮影部位が異なる。したがって、連動条件を満たさないため、検出器情報は切り替わらず、撮影Ｂの撮影条件６０３は、その内容が維持されて撮影条件６０７となる。
【００２４】
また、撮影Ｄの撮影条件６０４は、撮影対象が同じであり、撮影条件切替えの連動条件を満たしてはいるが、変更する検出器情報（Sensor003）が検出器情報６１１に含まれていないため、変更の適用が禁止される。その結果、撮影Ｄの撮影条件６０４も変更されず、撮影条件６０８となる。このように、検査情報に含まれる複数の撮影条件の各々は、撮影条件に含まれる条件項目（本例では検出器情報６１１）について変更可能な範囲（本例では変更可能な検出器の種類）を有している。そして、制御部１０４は、適用すべき変更が変更可能な範囲外となる撮影条件に対しては、その変更の適用を禁止する。
【００２５】
なお、適用すべき変更が変更可能な範囲外となって変更の適用が禁止された未変更の撮影条件について、その変更を適用するか否かを操作者に確認するようにしてもよい。たとえば、Ｓ２０３ｂにおいて、撮影条件変更後、図７（ａ）に示されるような連動確認ウィンドウ７０１を表示部１０２に表示して、切替え連動条件を満たさない撮影条件について連動を実施するかどうかを操作者に指定させるようにしても良い。図７（ａ）の連動確認ウィンドウ７０１では、「以下の撮影条件の検出器情報を変更しますか」という文が表示されているが、「検出器情報」の部分は、変更が適用される条件項目に応じて変更される。たとえば、変更が適用される条件項目が撮影台情報であれば、「以下の撮影条件の撮影台情報を変更しますか」という表示になる。
【００２６】
連動候補表示部７０２には、撮影条件の切替え連動条件を満たさない撮影条件の候補（本例では撮影Ｃ）が表示される。確定ボタン７０３が押下されると、連動候補表示部７０２に表示された未撮影の撮影条件に撮影条件切替えの連動が実施される。これにより、連動条件を満たしていないために変更が適用されなかった撮影Ｃの撮影条件６０８に撮影変更連動が実施され、撮影条件６０９のように更新される。なお、連動確認ウィンドウ７０１による撮影条件の切替え連動を実施しない場合は、操作者は破棄ボタン７０４を押下する。破棄ボタン７０４が押下された場合には、制御部１０４は、連動条件を満たす撮影条件にのみ変更を適用し、他の撮影条件には変更を適用しない。確定ボタン７０３または破棄ボタン７０４が押下されると、連動確認ウィンドウ７０１の表示が終了する。なお、連動確認ウィンドウ７０１による確認の対象となる撮影条件が複数存在する場合は、それら撮影条件が連動確認ウィンドウ７０１に表示される。その場合、複数の撮影条件を一括して連動する／しないを決定するようにしてもよいし、たとえばチェックボックスにより複数の撮影条件について連動する／しないを個別に設定できるようにしてもよい。
【００２７】
なお、上記実施形態では、撮影条件切替えの連動条件として「撮影対象の部位が同じであること」を例示したが、もちろんこれに限られるものではない。たとえば、「同じ姿勢（立位、座位、臥位等）であること」、「Ｘ線検出器が動画対応のＸ線検出器であること」などを連動条件として用いることも可能である。また、検出器情報の変更を例示したが、第１実施形態で説明したような撮影台情報の変更にも適用できることは言うまでもない。また、操作者によって撮影条件切替えの連動条件や、条件使用の有効無効を設定出来るようにしても良い。
【００２８】
＜第３実施形態＞
第１実施形態、第２実施形態では、撮影条件のうちの一部、すなわち、条件項目ごとに変更を行う構成を説明した。第３実施形態では、検査情報に含まれる撮影手技（撮影条件全体）を置換したり、撮影条件切替えの連動の確認や取り消しなどを実施したりする構成について説明する。
【００２９】
図８は、第３実施形態による表示部１０２のＧＵＩの一例を示した図である。第３実施形態では、表示ウィンドウ３０１に連動変更を取り消すための連動取消ボタン８０１が設けられている。撮影条件変更ボタン３０８が押下されると、図９に示される編集画面９０１が表示される。第１実施形態では、撮影条件の一部変更（条件項目の変更）を行う変更画面５０１（図５）を説明したが、編集画面９０１では実施される撮影手技を置き換えることが可能となっている。編集画面９０１は、編集対象である選択中の撮影条件を示す撮影条件表示部９０２、撮影条件置換え可能な候補を示す置換候補表示部９０３、変更可能な撮影台の候補を示す変更候補表示部９０４を有する。また、編集画面９０１は、編集を確定する確定ボタン９０５、編集を破棄する破棄ボタン９０６を有する。
【００３０】
操作者は、置換候補表示部９０３から別の撮影条件を選択して撮影条件の置き換えを実施したり、変更候補表示部９０４から撮影条件のうち撮影台情報（検出器情報）の変更などを実施したりすることができる。確定指示は確定ボタン９０５の押下により行われ、確定処理が実施されて検査情報に反映される。また、確定指示は置換候補表示部９０３、変更候補表示部９０４での変更内容選択やＧＵＩのダブルクリックなどで実施されても良い。破棄ボタン９０６が押下された場合は、編集画面９０１での変更はすべて破棄され、編集画面９０１の表示が終了する。
【００３１】
さらに、第２実施形態で示した撮影条件切替えの連動条件を適用する場合では、変更候補表示部９０４から撮影台情報を変更した際に、撮影条件表示部９０２に表示されている選択中の撮影条件に基づいて撮影条件切替えの連動が実施される。これと同様に、置換候補表示部９０３から別の撮影条件を選択することにより変更が実施された場合、すなわち撮影条件が置換された場合も、置換された後の撮影条件に基づいて、同検査情報内の他の撮影条件が更新されるようにしてもよい。その場合、置換後の撮影条件に関して連動条件を満たしている他の撮影条件の条件項目が、置換後の撮影条件の条件項目の内容へ変更されるようにしてもよい。すなわち、置換後の撮影条件に含まれる条件項目のうちの所定の条件項目が一致している撮影条件を更新するようにしてもよい。たとえば、第２実施形態で例示したように、連動条件が「同じ撮影部位であること」とした場合、置換後の撮影条件の撮影部位と同じ他の撮影条件において、たとえば撮影台情報が置換後の撮影条件の撮影台情報に変更される。
【００３２】
なお、編集画面９０１で確定ボタン９０５が指示された場合、他の撮影条件に対して撮影条件切替え連動を実施するか確認するための連動確認ウィンドウ７０１が表示されるようにしても良い。連動確認ウィンドウ７０１において確定ボタン７０３が押下されると、条件を満たす未撮影の撮影条件に撮影条件切替えの連動が実施される。破棄ボタン７０４が押下された場合は、撮影条件表示部９０２に表示されていた編集対象の撮影条件にのみ変更が適用され、連動候補表示部７０２に表示されている撮影条件には変更が適用されない。また、撮影条件切替え連動確認ウィンドウ７０１の表示終了後、連動取消ボタン８０１が押下されると、制御部１０４は、撮影条件切替え連動による撮影条件の変更を取り消す。また、このように変更が取り消された状態でさらに連動取消ボタン８０１が押下されると、制御部１０４は、検査情報を撮影条件変更ボタン３０８押下前の状態に戻す。
【００３３】
＜第４実施形態＞
第１実施形態〜第３実施形態では、Ｘ線画像撮影システムにおける撮影台情報や検出器情報などの撮影条件切替え連動について説明をした。その場合、ＦＰＤ同士で検出器の変更が行われてもよいし、記録方式が異なる検出器へ変更されてもよい。記録方式が異なる検出器への変更を可能とすれば、複数種類のＸ線検出器が混在するＸ線画像撮影システムの場合でも効率よくＸ線検出器を利用することが出来る。
【００３４】
例えば、回診車でＦＰＤとＣＲの両方を取り扱う場合、撮影時にＦＰＤのバッテリが不足していて撮影できない状況であれば、ＦＰＤでの撮影が指定されている撮影条件において検出器情報をＣＲに変更することができる。
【００３５】
＜第５実施形態＞
第２実施形態〜第３実施形態では、撮影条件切替えの連動として、条件を満たす撮影条件を全て連動させる例について説明をしたが、本発明はこれに限定されるものではない。たとえば、撮影条件切替え時に操作者が任意に撮影条件切替えの連動を許可する撮影条件を選択可能としても良い。図１０を用いて、操作者が任意に撮影条件切替えの連動を許可する撮影条件を選択する構成を説明する。
【００３６】
撮影条件変更が実施されると、連動選択ウィンドウ１００１が表示される。連動候補表示部１００２には、検査情報に含まれる撮影条件のうち、撮影条件切替えの連動を適用可能な撮影条件の候補が表示される。この連動候補表示部１００２から操作者が撮影条件切替え連動を適用する撮影条件を選択し、確定ボタン１００３を押下することで、連動候補表示部１００２で選択されていた撮影条件に対して撮影条件切替え連動が実施される。また、取消ボタン１００４が押下された場合、連動候補表示部１００２の状態に関わらず、撮影条件切替え連動が実施されない。確定ボタン１００３または取消ボタン１００４が押下されると、連動選択ウィンドウ１００１の表示を終了する。なお、連動選択ウィンドウ１００１において「検出器情報の変更を連動する撮影条件を選択してください」という文の表示において、「検出器情報」の部分は、図７（ａ）の連動確認ウィンドウと同様に、変更が適用される条件項目に応じて変更される。
【００３７】
＜第６実施形態＞
第１実施形態〜第３実施形態では、撮影条件切替えの連動として、撮影台情報や検出器情報を連動させる例について説明をしたが、本発明は上記実施形態に限定されるものではなく、他の撮影条件について連動が実施されても良い。例えば、撮影台情報のうち姿勢情報のみ、またはＸ線検出器情報のみの連動が可能であっても良い。また、撮影手技情報である撮影部位情報などが連動されても良い。また、これらの連動する情報について操作者が設定操作を実施できても良い。すなわち、撮影条件に含まれる所定の撮影条件について変更を適用するように構成してもよく、またそのような所定の撮影条件を操作者が設定できるようにしてもよい。
【００３８】
＜第７実施形態＞
第１実施形態〜第６実施形態では、撮影画面で撮影条件切替えの連動が実施される例について説明をしたが、検査情報設定画面により検査情報を生成中の段階で撮影条件切替えの連動を行なう構成について図１１〜図１２を用いて説明する。
【００３９】
生成編集画面１１０１（図１１）は、外部入力システム１０９を使用せずに制御装置１０１で検査情報を生成および編集する場合や、外部入力システム１０９から受信した検査情報を編集する場合に表示される。以下に説明される生成編集画面１１０１に関連する制御は、制御部１０４により実現される。
【００４０】
検査情報表示部１１０２には、作成中あるいは編集中の検査情報に含まれている撮影手技（撮影条件）が表示される。制御部１０４は、選択部１１０３から選択された撮影条件を検査情報に追加し、検査情報表示部１１０２に表示する。また、操作者は、検出器設定部１１０４または撮影台設定部１１０５から、検査情報表示部１１０２に表示されている撮影条件のうちの選択中の撮影条件で使用するＸ線検出器または撮影台を設定することができる。例えば、選択部１１０３で指定されているポータブルＦＰＤであるsensor001がバッテリ不足であり、別のポータブルＦＰＤであるsensor002を使用して撮影を行いたい場合は、検出器設定部１１０４からsensor002を選択する。これにより、作成中または編集中の撮影条件の検出器情報を変更することができる。また、立位撮影予定の患者が車椅子で撮影室に来た場合は、撮影台設定部１１０５から座位を選択することで、撮影台情報を変更することができる。
【００４１】
図１２は、上述のような生成編集画面１１０１を制御する制御部１０４の動作を説明するフローチャートである。制御部１０４は、選択部１１０３から新たな撮影条件が検査に追加されると（Ｓ１２０１）、追加された撮影条件を基に撮影条件切替えの連動条件を満たす撮影条件が存在するかどうかを判定する（Ｓ１２０２）。連動条件は、第２実施形態で説明したとおりである。連動条件を満たす撮影条件が存在する場合、制御部１０４は、撮影条件の切替え連動を実施する（Ｓ１２０３）。例えば、連動条件が「同一の撮影部位であること」の場合に、胸部正面を座位で撮影する撮影条件が追加された場合、追加済の胸部撮影について、その追加された撮影条件と同一の撮影台で撮影を実施するように撮影条件を連動して一括変更させる。また、追加済の撮影を選択して、検出器設定部１１０４または撮影台設定部１１０５から撮影条件の変更が実施された場合も同様に、追加済の撮影条件を連動して一括変更させても良い。このように、制御部１０４は、撮影条件の追加または変更のたびに撮影条件切替えの連動条件を判定する。検査開始１１０６または検査編集取消１１０７が指示される（Ｓ１２０４）と、図１１の検査編集画面を終了する（Ｓ１２０５）。
【００４２】
＜第８実施形態＞
第２実施形態では、撮影条件切替え連動ができない撮影に関しては何等処置が実施されなかったが、これに限られるものではない。第８実施形態では、連動条件を満たすが検出器または撮影台が紐づいていないために撮影条件切り替え連動が出来ない撮影条件や、連動条件を満たさないために変更を連動できない撮影条件が存在する場合、これを通知することにより注意喚起を促す。撮影条件切替え連動の実施時に、そのような注意喚起の対象となる撮影が存在する場合、図７（ｂ）に示されるような連動未実施警告ウィンドウ１３０１が表示される。表示部１３０２には、撮影条件切替え連動が出来ない撮影条件が一覧表示される。ＯＫボタン１３０３を押下すると連動未実施警告ウィンドウ１３０１を閉じる。
【００４３】
以上のように、上記各実施形態によれば、無線Ｘ線検出器のバッテリ切れや患者様態に応じて撮影方法が限定されたことにより撮影条件が変更された場合に、その変更内容が検査情報に含まれる複数の撮影条件に反映される。たとえば、操作者が複数の撮影条件の一つについて行った編集を基に、同一検査内の連動条件に合致する撮影条件が一括で変更されるので、操作者の行う操作数が低減し、誤操作防止と検査時間短縮が期待される。
【００４４】
なお、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４５】
１０１：制御装置、１０２：表示部、１０３：操作部、１０４：制御部、１０５：Ｘ線撮像システム、１０６〜１０８：撮影部、１０９：外部入力システム、１１０：外部出力システム
【図１】
2015195812.tif 000003
【図２】
2015195812.tif 000004
【図３】
2015195812.tif 000005
【図４】
2015195812.tif 000006
【図５】
2015195812.tif 000007
【図６】
2015195812.tif 000008
【図７】
2015195812.tif 000009
【図８】
2015195812.tif 000010
【図９】
2015195812.tif 000011
【図１０】
2015195812.tif 000012
【図１１】
2015195812.tif 000013
【図１２】
2015195812.tif 000014